【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
被写体を含む領域を撮像し、画像データを出力する撮像手段と、
前記被写体を含む領域に向けて発光するフラッシュ手段と、
前記フラッシュ手段を発光させて前記撮像手段で撮像した画像データと、前記フラッシュ手段を発光させずに前記撮像手段で撮像した画像データとから、被写体の領域の情報を検出する検出手段と、
前記撮像手段が出力した画像データと、前記検出手段で検出された被写体の領域の情報とを記録する記録手段と、
前記撮像手段と、前記フラッシュ手段と、前記検出手段と、前記記録手段とを制御する制御手段とを有し、
前記制御手段は、前記記録手段で記録するための画像データを、前記フラッシュ手段を発光させて前記撮像手段で撮像させる場合、
前記フラッシュ手段を発光させずに前記撮像手段で撮像させ、
前記フラッシュ手段の発光量制御のためにテスト発光させて前記撮像手段で撮像させ、
当該２回の撮像で得られた画像データから、前記検出手段によって被写体の領域を検出させた後、
前記記録するための画像データを、前記フラッシュ手段を発光させて前記撮像手段で撮像させ、
前記検出された被写体の領域の情報を、前記記録するための画像データとともに前記記録手段に記録させる、ことを特徴とする撮像装置。
【請求項２】
前記制御手段は、前記フラッシュ手段をテスト発光させて前記撮像手段に撮像させて得られた画像データから、
前記記録するための画像データを前記撮像手段に撮像させる際の前記フラッシュ手段の発光量を制御する、ことを特徴とする請求項１に記載の撮像装置。
【請求項３】
さらに、前記記録手段が記録した、前記記録するための画像データと前記被写体の領域の情報とを、接続される記録装置に転送するデータ転送手段を有する、ことを特徴とする請求項１又は２に記載の撮像装置。
【請求項４】
前記データ転送手段は、前記記録手段が記録した、前記記録するための画像データと前記被写体の領域の情報とを、前記接続される記録装置に別々に転送する、ことを特徴とする請求項３に記載の撮像装置。
【請求項５】
前記検出手段は、
前記２回の撮像で得られた画像データの輝度情報の差分から前記被写体の領域を検出する、ことを特徴とする請求項１乃至４の何れか１項に記載の撮像装置。
【請求項６】
撮像装置で記録された、被写体の領域を含む画像データと、前記画像データに含まれる被写体の領域の情報とを受信するデータ受信手段と、
前記データ受信手段で受信した画像データを補正する補正手段と、
前記補正手段で補正された画像データを記録媒体に出力する印刷手段を有し、
前記補正手段は、前記データ受信手段で受信した画像データのうち、前記被写体の領域の情報で示される領域に含まれる画像データの輝度情報に従って、前記データ受信手段で受信した画像データ全体の明るさを補正する、ことを特徴とする記録装置。
【請求項７】
撮像装置と記録装置とを備える画像処理システムであって、
前記撮像装置は、
被写体を含む領域を撮像し、画像データを出力する撮像手段と、
前記被写体を含む領域に向けて発光するフラッシュ手段と、
前記フラッシュ手段を発光させて前記撮像手段で撮像した画像データと、前記フラッシュ手段を発光させずに前記撮像手段で撮像した画像データとから、被写体の領域の情報を検出する検出手段と、
前記撮像手段が出力した画像データと、前記検出手段で検出された被写体の領域の情報とを記録する記録手段と、
前記撮像手段と、前記フラッシュ手段と、前記検出手段と、前記記録手段とを制御する制御手段と、
前記記録手段に記録させた画像データと、前記被写体の領域の情報とを、接続される前記記録装置に転送するデータ転送手段とを有し、
前記制御手段は、前記記録手段で記録するための画像データを、前記フラッシュ手段を発光させて前記撮像手段で撮像させる場合、
前記フラッシュ手段を発光させずに前記撮像手段で撮像させ、
前記フラッシュ手段の発光量制御のためにテスト発光させて前記撮像手段で撮像させ、
当該２回の撮像で得られた画像データから、前記検出手段によって被写体の領域を検出させた後、
前記記録するための画像データを、前記フラッシュ手段を発光させて撮像させ、
前記検出された被写体の領域の情報を、前記記録するための画像データとともに前記転送手段によって前記記録装置に転送させ、
前記記録装置は、
前記転送手段から、前記記録するための画像データと、前記被写体の領域の情報とを受信するデータ受信手段と、
前記データ受信手段で受信した前記記録するための画像データを補正する補正手段と、
前記補正手段で補正された画像データを記録用紙に出力する印刷手段を有し、
前記補正手段は、前記データ受信手段で受信した前記記録するための画像データのうち、前記被写体の領域の情報で示される領域に含まれる、前記データ受信手段で受信した前記記録するための画像データの輝度情報に従って、前記データ受信手段で受信した前記記録するための画像データの明度情報を補正する、ことを特徴とする画像処理システム。
【請求項８】
被写体を含む領域を撮像し、画像データを出力する撮像手段と、
前記被写体を含む領域に向けて発光するフラッシュ手段と、
前記フラッシュ手段を発光させて前記撮像手段で撮像した画像データと、前記フラッシュ手段を発光させずに前記撮像手段で撮像した画像データとから、被写体の領域の情報を検出する検出手段と、
前記撮像手段が出力した画像データと、前記検出手段で検出された被写体の領域の情報とを記録する記録手段と、を有する撮像装置の制御方法であって、
前記記録手段で記録するための画像データを、前記フラッシュ手段を発光させて前記撮像手段で撮像させる場合に、
前記フラッシュ手段を発光させずに前記撮像手段で撮像させ、
前記フラッシュ手段の発光量制御のためにテスト発光させて前記撮像手段で撮像させ、
当該２回の撮像で得られた画像データから、前記検出手段で被写体の領域を検出させた後、
前記記録するための画像データを、前記フラッシュ手段を発光させて前記撮像手段で撮像させ、
前記検出された被写体の領域の情報を、前記記録するための画像データとともに前記記録手段で記録させる制御工程を有する、ことを特徴とする撮像装置の制御方法。
【請求項９】
前記制御工程は、さらに、前記フラッシュ手段をテスト発光させて前記撮像手段に撮像させて得られた画像データから、前記記録するための画像データを前記撮像手段に撮像させる際の前記フラッシュ手段の発光量を制御する工程を有する、ことを特徴とする請求項８に記載の撮像装置の制御方法。
【請求項１０】
さらに、前記記録手段で記録された、前記記録するための画像データと前記被写体の領域の情報とを、接続される記録装置に転送するデータ転送工程を有する、ことを特徴とする請求項８又は９に記載の撮像装置の制御方法。
【請求項１１】
前記データ転送工程は、前記記録手段が記録した、前記記録するための画像データと前記被写体の領域の情報とを、前記接続される記録装置に別々に転送する、ことを特徴とする請求項１０に記載の撮像装置の制御方法。
【請求項１２】
前記検出手段は、
前記２回の撮像で得られた画像データの輝度情報の差分から前記被写体の領域を検出する、ことを特徴とする請求項８乃至１１の何れか１項に記載の撮像装置の制御方法。
【請求項１３】
画像データを記録媒体に出力する印刷手段を有する記録装置の制御方法であって、
撮像装置で記録された画像データと、前記画像データに含まれる被写体の領域の情報とを受信するデータ受信工程と、
前記データ受信工程で受信した画像データを補正する補正工程と、
前記補正工程で補正された画像データを、前記印刷手段を用いて記録媒体に出力する出力工程とを有し、
前記補正工程は、前記データ受信工程で受信した画像データのうち、前記被写体の領域の情報で示される領域に含まれる画像データの輝度情報に従って、前記データ受信工程で受信した画像データ全体の明るさを補正する、ことを特徴とする記録装置の制御方法。
【請求項１４】
コンピュータに、請求項８乃至１２の何れか１項に記載の撮像装置の制御方法の各工程を実行させるためのプログラム。
【請求項１５】
コンピュータに、請求項１３に記載の記録装置の制御方法の各工程を実行させるためのプログラム。
【請求項１６】
請求項１４に記載のプログラムを記録したコンピュータ読み取り可能な記録媒体。
【請求項１７】
請求項１５に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】撮像装置、記録装置、画像処理システム、撮像装置の制御方法、記録装置の制御方法、プログラム及び記録媒体
【手続補正３】
【補正対象書類名】明細書
【補正対象項目名】０００７
【補正方法】変更
【補正の内容】
【０００７】
上記の目的を達成するために、本発明の実施形態における撮像装置は、被写体を含む領域を撮像し、画像データを出力する撮像手段と、被写体を含む領域に向けて発光するフラッシュ手段と、フラッシュ手段を発光させて撮像手段で撮像した画像データと、フラッシュ手段を発光させずに撮像手段で撮像した画像データとから、被写体の領域の情報を検出する検出手段と、撮像手段が出力した画像データと、検出手段で検出された被写体の領域の情報とを記録する記録手段と、撮像手段と、フラッシュ手段と、検出手段と、記録手段とを制御する制御手段とを有し、制御手段は、記録手段で記録するための画像データを、フラッシュ手段を発光させて撮像手段で撮像させる場合、フラッシュ手段を発光させずに撮像手段で撮像させ、フラッシュ手段の発光量制御のためにテスト発光させて撮像手段で撮像させ、当該２回の撮像で得られた画像データから、検出手段によって被写体の領域を検出させた後、記録するための画像データを、フラッシュ手段を発光させて撮像手段で撮像させ、検出された被写体の領域の情報を、記録するための画像データとともに記録手段に記録させる、ことを特徴とする。
【手続補正４】
【補正対象書類名】明細書
【補正対象項目名】０００８
【補正方法】変更
【補正の内容】
【０００８】
上記の目的を達成するために、本発明の、他の実施形態における記録装置は、撮像装置で記録された、被写体の領域を含む画像データと、画像データに含まれる被写体の領域の情報とを受信するデータ受信手段と、データ受信手段で受信した画像データを補正する補正手段と、補正手段で補正された画像データを記録媒体に出力する印刷手段を有し、補正手段は、データ受信手段で受信した画像データのうち、被写体の領域の情報で示される領域に含まれる画像データの輝度情報に従って、データ受信手段で受信した画像データ全体の明るさを補正する、ことを特徴とする。
【手続補正５】
【補正対象書類名】明細書
【補正対象項目名】０００９
【補正方法】変更
【補正の内容】
【０００９】
上記の目的を達成するために、本発明の、さらに他の実施形態における画像処理システムは、撮像装置と記録装置とを備える画像処理システムであって、撮像装置は、被写体を含む領域を撮像し、画像データを出力する撮像手段と、被写体を含む領域に向けて発光するフラッシュ手段と、フラッシュ手段を発光させて撮像手段で撮像した画像データと、フラッシュ手段を発光させずに撮像手段で撮像した画像データとから、被写体の領域の情報を検出する検出手段と、撮像手段が出力した画像データと、検出手段で検出された被写体の領域の情報とを記録する記録手段と、撮像手段と、フラッシュ手段と、検出手段と、記録手段とを制御する制御手段と、記録手段に記録させた画像データと、被写体の領域の情報とを、接続される記録装置に転送するデータ転送手段とを有し、制御手段は、記録手段で記録するための画像データを、フラッシュ手段を発光させて撮像手段で撮像させる場合、フラッシュ手段を発光させずに撮像手段で撮像させ、フラッシュ手段の発光量制御のためにテスト発光させて撮像手段で撮像させ、当該２回の撮像で得られた画像データから、検出手段によって被写体の領域を検出させた後、記録するための画像データを、フラッシュ手段を発光させて撮像させ、検出された被写体の領域の情報を、記録するための画像データとともに転送手段によって記録装置に転送させ、記録装置は、転送手段から、記録するための画像データと、被写体の領域の情報とを受信するデータ受信手段と、データ受信手段で受信した記録するための画像データを補正する補正手段と、補正手段で補正された画像データを記録用紙に出力する印刷手段を有し、補正手段は、データ受信手段で受信した記録するための画像データのうち、被写体の領域の情報で示される領域に含まれる、データ受信手段で受信した記録するための画像データの輝度情報に従って、データ受信手段で受信した記録するための画像データの明度情報を補正する、ことを特徴とする。
【手続補正６】
【補正対象書類名】明細書
【補正対象項目名】００１０
【補正方法】変更
【補正の内容】
【００１０】
上記の目的を達成するために、本発明の、さらに他の実施形態における撮像装置の制御方法は、被写体を含む領域を撮像し、画像データを出力する撮像手段と、被写体を含む領域に向けて発光するフラッシュ手段と、フラッシュ手段を発光させて撮像手段で撮像した画像データと、フラッシュ手段を発光させずに撮像手段で撮像した画像データとから、被写体の領域の情報を検出する検出手段と、撮像手段が出力した画像データと、検出手段で検出された被写体の領域の情報とを記録する記録手段と、を有する撮像装置の制御方法であって、記録手段で記録するための画像データを、フラッシュ手段を発光させて撮像手段で撮像させる場合に、フラッシュ手段を発光させずに撮像手段で撮像させ、フラッシュ手段の発光量制御のためにテスト発光させて撮像手段で撮像させ、当該２回の撮像で得られた画像データから、検出手段で被写体の領域を検出させた後、記録するための画像データを、フラッシュ手段を発光させて撮像手段で撮像させ、検出された被写体の領域の情報を、記録するための画像データとともに記録手段で記録させる制御工程を有する、ことを特徴とする。
【手続補正７】
【補正対象書類名】明細書
【補正対象項目名】００１１
【補正方法】変更
【補正の内容】
【００１１】
上記の目的を達成するために、本発明の、さらに他の実施形態における記録装置の制御方法は、画像データを記録媒体に出力する印刷手段を有する記録装置の制御方法であって、撮像装置で記録された画像データと、画像データに含まれる被写体の領域の情報とを受信するデータ受信工程と、データ受信工程で受信した画像データを補正する補正工程と、補正工程で補正された画像データを、印刷手段を用いて記録媒体に出力する出力工程とを有し、補正工程は、データ受信工程で受信した画像データのうち、被写体の領域の情報で示される領域に含まれる画像データの輝度情報に従って、データ受信工程で受信した画像データ全体の明るさを補正する、ことを特徴とする。
【手続補正８】
【補正対象書類名】明細書
【補正対象項目名】００１７
【補正方法】変更
【補正の内容】
【００１７】
＜実施形態１＞
本発明の実施形態１に係る画像処理システムは、図１に示すように、デジタルカメラ等の撮像装置１００と、撮像装置１００で撮像して得られた静止画像データを記録する記録装置２００とで構成される。この撮像装置１００と記録装置２００は、たとえば直接に接続ケーブル３００により接続される。この接続は、ＵＳＢケーブルを使用し、ＵＳＢ規格に基づきデータの交換をしたり、或いは、ＩＥＥＥ１３９４ケーブルを使用し、ＩＥＥＥ１３９４規格に基づきデータの交換を行う。この明細書では、ＵＳＢケーブルを使用する例として説明するが、これに限定するものではない。撮像装置１００から、直接ＵＳＢ接続ケーブル３００を介して静止画像データが記録装置２００に伝送され、記録装置２００で記録する構成となっている。なお、撮像装置１００と記録装置２００との接続は、ＵＳＢ接続ケーブル３００を使用することなく、無線ＬＡＮ、赤外線通信等、各種の無線通信技術で接続することも可能である。